(57)【要約】      （修正有）【課題】構造体が屋根や壁や地面や電柱等に施工設置されて利用される山並型ソーラーパネル複合傾斜架台を提供する。【解決手段】山並形ソーラーパネル複合傾斜架台１は、傾斜基台３が、傾斜面に対して側面から見た場合、細長く先細りした三角形状の枠組みで形成され、この両側面は共に開口しており、地面や壁面との接地面に対し、パネル設置架台２を載置する載置面が一定方向に傾斜した形で形成さ、この接地面・載置面も共にそれを縁取る形で形成される枠組みから成り、閉じられた面ではなく開口された面として形成され、パネル設置架台は、その枠組みに橋渡しする形で設置固定し、均等な高さの山並型であり、パネルを設置する面に対して側面から見た場合、ほぼ正三角形の連続した形状に形成され、側面の両方向に開口してあり、かつパネルを設置する面も開口し、パネルのサイズに相応する形で区切る枠組みによって形成する。【選択図】図１
2017038503.tif 000002
【特許請求の範囲】
【請求項１】
据え置いた面に対して傾斜面を有する傾斜基台と、その傾斜面に設置されるパネル設置架台と、そのパネル設置架台に張られるソーラーパネル及び反射パネルとで構成され、傾斜基台は、傾斜面に対して、側面から見た場合、細長く先細りした三角形状の枠組みで形成され、この両側面共に開口しており、地面や壁面との接地面に対し、パネル設置架台を載置する載置面が一定方向に傾斜した形で形成されるが、この接地面、載置面も共に、それを縁取る形で形成される枠組みから成り、閉じられた面ではなく開口された面として形成されるのであり、パネル設置架台は、その枠組みに橋渡しする形で設置固定されるパネル設置架台は均等な高さの山並形であり、パネルを設置する面に対して側面から見た場合ほぼ正三角形の連続形状に形成され、側面の両方向に開口してあり、かつ、パネルを設置する面の開口し、パネルのサイズに相応する間隔で区切る枠組みによって形成されるが、このように形成された枠体におけるパネル設置架台の区切られた枠組みに架け渡す形で、ソーラーパネルと反射パネルを設置するのであるが、山状の屋根を境に一方の傾斜面側にソーラーパネルとその他面に反射パネルという具合に相互に隣接する形で連続的に設置され、全体としてこのように形成された構造体が屋根や壁や地面や電柱等に施工設置されて利用されることを特徴とする山並型ソーラーパネル複合傾斜架台。
【発明の詳細な説明】
【技術分野】
【０００１】  本発明は、ソーラーパネルを設置するための山並型ソーラーパネル複合傾斜架台に関するものである。
【背景技術】
【０００２】  従来より、ソーラーパネルは、住宅の屋根傾斜面や、ビルの屋上面、あるいは、平坦地、傾斜面に架台を組んで設置していた。
【発明の概要】
【発明が解決しようとする課題】
【０００３】  そのため次のような問題があった。
（イ）設置する住宅の屋根瓦や、カラーベストは強度が弱く、工事中にヒビ割れが生じて    、雨もりの原因になっていた。
（ロ）積雪になると、除雪が困難で機能の回復が遅れていた。
（ハ）住宅の屋根面に設置してある場合、保守が厄介だった。
（ニ）山合の傾斜面の設置は多少の木を切るので、長期に雨が降り続くと、なだれの危険    が生じやすい。
（ホ）この国土は離島や山合が多く、平坦地の少なくない国土故に普及に限界があった。
【課題を解決するための手段】
【０００４】  据え置いた面に対して、傾斜面も有する傾斜基台と、その傾斜面に設置されるパネル設置架台と、そのパネル設置架台に張られるソーラーパネル、及び、反射パネルとで構成される。
傾斜基台は、傾斜面に対して側面から見た場合、細長く先細りした三角形状の枠組みで形成され、この両側面は共に開口しており、地面や壁面との接地面に対し、パネル設置架台を載置する載置面が一定方向に傾斜した形で形成されるが、この接地面・載置面も共にそれを縁取る形で形成される枠組みから成り、閉じられた面ではなく開口された面として形成されるのであり、パネル設置架台は、その枠組みに橋渡しする形で設置固定される。
パネル設置架台は、均等な高さの山並型であり、パネルを設置する面に対して側面から見た場合、ほぼ正三角形の連続した形状に形成され、側面の両方向に開口してあり、かつパネルを設置する面も開口し、パネルのサイズに相応する形で区切る枠組みによって形成される。
このように形成された枠体におけるパネル設置架台の区切られた枠組み毎に架け渡す型で、ソーラーパネルと反射パネルを設置するのであるが、山状の一方の傾斜面側にソーラーパネル、その他面の傾斜面に反射パネルという具合に、相互に隣接する型で連続させて設置され、全体としてこのように形成された構造体が、屋根や壁や地面や電柱等に施工設置されて利用される。
以上を特徴とする山並形ソーラーパネル複合傾斜架台である。
【発明の効果】
【０００５】（イ）ソーラーパネルの設置方法が従来から平面設置、傾斜設置に対し、垂直設置、垂直    空間設置ができて設置の多様化が可能になった。
（ロ）反射パネルに受けた光を、ソーラーパネルに反射して、ソーラ―パネルの効率も高    める効果がある。
（ハ）南向きであれば、狭い空地に垂直設置で垂直空間を活用することができる。
たとえば、山合沿い、道路沿い、海岸沿い、線路沿い、河川沿い、田畑沿い、工場    沿い、駐車場沿い、公園沿い、建物沿い、ビニールハウス沿い等の設置等がいたると    ころに見出すことができる。
（ニ）離島が多く、山合の多い日本の風土に見合った設置方法である。
（ホ）保守、点検が随時可能で保守、管理の徹底が容易である。
（ヘ）地方都市における太陽光など再生エネルギー等の普及が地域の経済成長につながる    と、いわれている（２７年６月５日環境白書より）。
【図面の簡単な説明】
【０００６】
【図１】  本発明の一部である山並型複合傾斜架台本体の斜視図である。
【図２】  本発明の斜視図である。
【図３】  本発明を縦壁面に設置する場合の実施例を示す斜視図である。
【図４】  本発明を平坦面に設置する場合の実施例を示す斜視図である。
【図５】  本発明を複数の電柱に設置し、ソーラー発電の電気を架空配線施工の実施例を示す斜視図である。
【図６】  本発明を農村地域の農道沿いと山沿いに、それぞれ直列状に設置した全体の風景を示すイメージ図である。
【発明を実施するための形態】
【０００７】  以下、本発明の実施の形態について説明する。
据え置いた面に対して傾斜面を有する傾斜基台（３）と、その傾斜面に設置されるパネル設置架台（２）と、そのパネル設置架台（２）に張られるソーラーパネル（４）、及び、反射パネル（５）とで構成される。
傾斜基台（３）は傾斜面に対して、側面から見た場合、細長く先細りした三角形状の枠組みで形成され、この両側面共に開口しており、地面や壁面との接地面に対し、パネル設置架台（２）を設置する載置面が一定方向に傾斜した形で形成されるが、この接地面、載置面も共に、それを縁取る形で形成される枠組みから成り、閉じられた面ではなく開口された面として形成されるのであり、パネル設置架台（２）は、その枠組みに橋渡しする形で設置固定され、パネル設置架台は均等な高さの山並形であり、パネルを設置する面に対して側面から見た場合ほぼ正三角形状に形成され、側面の両方向に開口してあり、かつ、パネル設置する面の開口し、パネルのサイズに相応する形で区切る枠組みによって形成されるが、このように形成された枠体におけるパネル設置架台（２）の区切られた枠組みに架け渡す形で、ソーラーパネル（４）と反射パネル（５）も設置するのであるが、山状の一方の傾斜面にソーラーパネル（４）と他方の傾斜面に反射パネル（５）という具合に相互に隣接する形で連続させて設置され、全体としてこのように形成された構造体が屋根や壁や地面や電柱等に施工設置されて利用される。
本発明は以上のような構成であり、以下その具体的な実施の形態を説明する。
【実施例１】
【０００８】（イ）本発明を建物の壁面等に設置する場合は、傾斜基台の傾斜の傾斜面を上向きに設置    する。
（ロ）設置した反射板が太陽光を受けて、ソーラーパネルに反射して発電高率を高め、特    に冬期の太陽の位置が低いほど効果が大きい。
【実施例２】
【０００９】（イ）本発明を屋上面や平坦地に設置する時、傾斜基台の傾斜面を南方向に向けて設置す    る。
（ロ）設置した反射板が太陽光を受けて、ソーラーパネルに反射して発電高率も高め、特    に冬期の太陽に位置が低いほど効果が大きい。
【実施例３】
【００１０】（イ）本発明を電柱に装着するとき、傾斜基台の傾斜面を上向きに装着し、直列状に設置    する。
（ロ）設置した反射板が太陽光を受けて、ソーラーパネルに反射して発電高率を高め、特    に冬期の太陽の位置の低いほど効果が大きい。
（ハ）南向きであれば地域の地形に見合った配列で設置できる。
たとえば、山道沿いに、海岸道沿いに、道路沿いに、線路沿いに、河川敷沿いに、    建物沿いに、田畑沿いに、公園沿いに、ビニールハウス沿いに等、地域でいろいろな    適切な場所が多く存在している。
【符号の説明】
【００１１】  １  山並型ソーラーパネル複合傾斜架台本体
２  パネル設置架台
３  傾斜基台
４  ソーラーパネル
５  反射パネル
６  建造物従壁面
７  建造物平坦面・平坦地
８  電柱
９  架空配線金具
１０  電気架空配線
【図１】
2017038503.tif 000003
【図２】
2017038503.tif 000004
【図３】
2017038503.tif 000005
【図４】
2017038503.tif 000006
【図５】
2017038503.tif 000007
【図６】
2017038503.tif 000008